(57)【特許請求の範囲】
【請求項１】
コーラーＩＤを受信して着信動作するコーラーＩＤ受信用モードに設定する設定手段と、着信したリンガがコーラーＩＤ用であるか否かを判断する判断手段と、コーラーＩＤを受信する受信手段と、受信したコーラーＩＤを表示する表示手段と、前記設定手段がコーラーＩＤ受信用モードに設定されていない場合に、前記判断手段にリンガがコーラーＩＤ用か否かを判断させてコーラーＩＤ用であれば前記設定手段にコーラーＩＤ受信用モードに設定変更させて前記受信手段にコーラーＩＤを受信させ、前記設定手段がコーラーＩＤ受信用モードに設定されている場合には、前記判断手段にリンガを判断させずに前記受信手段にコーラーＩＤを受信させる制御手段と、を具備し、前記制御手段は、前記判断手段がリンガがコーラーＩＤ用であると判断した後の着信から、前記判断手段に判断させずに前記受信手段にコーラーＩＤを受信させることを特徴とする通信装置。
【請求項２】
前記設定手段は、電源投入時にコーラーＩＤ受信用モード以外に設定し、前記制御手段は、電源投入後に初めてリンガを着信した場合、前記判断手段に着信したリンガがコーラーＩＤ用であるか否かを判断させることを特徴とする請求項１記載の通信装置。
【請求項３】
前記制御手段は、リンガを着信してから前記判断手段が判断を終了するまでの間、リンガを鳴動させないことを特徴とする請求項１乃至請求項２のいずれかに記載の通信装置。
【請求項４】
前記制御手段は、リンガを着信してから前記判断手段が判断を終了するまでの間、さらに、着信したリンガがコーラーＩＤ用である場合、前記受信手段がコーラーＩＤの受信を完了するまでの間、データ受信中である旨を表示させることを特徴とする請求項３記載の通信装置。
【請求項５】
通常の着信動作を行う通常モードとコーラーＩＤを受信して着信動作を行うコーラーＩＤ受信用モードの２つの制御モードを有し、通常モードかコーラーＩＤ受信用モードかを設定する制御モード設定手段と、リンガの種類を判断する判断手段と、通常モードに設定されている時に前記判断手段にリンガがコーラーＩＤ用か否かを判断させてコーラーＩＤ用であればコーラーＩＤを受信するとともに制御モードの設定をコーラーＩＤ受信用モードに変更する制御手段と、を備える通信装置。
【請求項６】
表示部を備え、コーラーＩＤ受信用モードに設定すると、設定した旨を前記表示部で表示させることを特徴とする請求項１乃至請求項５のいずれかに記載の通信装置。
【請求項７】
ＬＥＤを有する表示部を備え、コーラーＩＤ受信用モードに設定すると、前記ＬＥＤの色を変えることを特徴とする請求項１乃至請求項５のいずれかに記載の通信装置。
【請求項８】
コーラーＩＤ受信用モードに設定すると、呼出ベルの音色を変更することを特徴とする請求項１乃至請求項５のいずれかに記載の通信装置。
【請求項９】
コーラーＩＤを受信して着信動作するコーラーＩＤ受信用モードに設定されていない場合は、着信したリンガがコーラーＩＤ用であるか否かを判断してコーラーＩＤ用であればコーラーＩＤ受信用モードに設定変更してコーラーＩＤを受信して表示し、コーラーＩＤ受信用モードに設定されている場合は、リンガの判断をせずにコーラーＩＤを受信して表示することを特徴とする通信方法。
【発明の詳細な説明】
【０００１】
【発明の属する技術分野】
本発明は、電話回線を通じて通信を行う通信装置に関する。
【０００２】
【従来の技術】
近年、電話回線を通じて通信を行う通信装置において、回線の接続前にコーラーID（通信相手の電話番号）がわかるサービスが普及し始めている。
【０００３】
以下、従来のコーラーIDサービスによる通信装置の信号の流れについて、図７のフロー図を用いて説明する。
【０００４】
まず、外部回線から連続信号からなるリンガを検出すると（Ｓ７０１）、モデムをコーラーＩＤデータ通信のモードであるＶ２３モードに設定し（Ｓ７０２）、回線とモデムを接続し（Ｓ７０３）、モデムにてコーラーＩＤの受信を開始する（Ｓ７０４）。
【０００５】
コーラーＩＤの受信を終了すると（Ｓ７０５）、回線を一旦切断し（Ｓ７０６）、呼出ベルを鳴動させ（Ｓ７０７）、同時に、コーラーＩＤを表示する（Ｓ７０８）。
【０００６】
そして、通常のリンガを受信している間に（Ｓ７０９）、利用者が受話器を取ってＯＦＦフックされると（Ｓ７１０）、回線と受話器を接続する（Ｓ７１１）。これにより、利用者は通常通信を行うことができる。
【０００７】
同時に、呼出ベルを停止し（Ｓ７１２）、コーラーＩＤの表示を消灯する（Ｓ７１３）。
その後、利用者が受話器を置いてＯＮフックされると（Ｓ７１４）、回線を切断し（Ｓ７１５）、通信を終了する。
【０００８】
また、Ｓ７０９にて、利用者が受話器を取る前に通常のリンガが停止した場合、呼出ベルを停止し（Ｓ７１６）、コーラーＩＤの表示を消灯し（Ｓ７１７）、通信を終了する。
【０００９】
【発明が解決しようとする課題】
しかし、上記従来の通信装置は、通信装置の種類毎にコーラーＩＤ受信用モードの設定方法が異なり、利用者は、取扱説明書等を見ながら手動で操作する必要が有り、非常に面倒であった。
【００１０】
さらに、コーラーＩＤのサービス開始からコーラーＩＤ受信用モードの設定までの間、コーラーＩＤを受信できず、しかも、通常の受信さえもできないという問題が有り、逆に、コーラーＩＤのサービス開始前にコーラーＩＤ受信用モードの設定を行うと、コーラーＩＤのサービス開始までの間、やはり通常の受信をできないという問題が有った。
【００１１】
そのため、装置を正常に動作させるためには、コーラーＩＤのサービス開始と同時にコーラーＩＤ受信用の設定を行う必要があった。
【００１２】
本発明はかかる点に鑑みてなされたものであり、コーラーＩＤ受信用の設定をサービス開始に合わせて、自動的に行うことができる通信装置を提供することを目的とする。
【００１３】
【課題を解決するための手段】
本発明は上記課題を解決するために、以下のような手段を講じた。
【００１４】
請求項１記載の発明は、コーラーＩＤを受信して着信動作するコーラーＩＤ受信用モードに設定する設定手段と、着信したリンガがコーラーＩＤ用であるか否かを判断する判断手段と、コーラーＩＤを受信する受信手段と、受信したコーラーＩＤを表示する表示手段と、前記設定手段がコーラーＩＤ受信用モードに設定されていない場合に、前記判断手段にリンガがコーラーＩＤ用か否かを判断させてコーラーＩＤ用であれば前記設定手段にコーラーＩＤ受信用モードに設定変更させて前記受信手段にコーラーＩＤを受信させ、前記設定手段がコーラーＩＤ受信用モードに設定されている場合には、前記判断手段にリンガを判断させずに前記受信手段にコーラーＩＤを受信させる制御手段と、を具備し、前記制御手段は、前記判断手段がリンガがコーラーＩＤ用であると判断した後の着信から、前記判断手段に判断させずに前記受信手段にコーラーＩＤを受信させる構成を採る。
【００１５】
この構成により、コーラーＩＤ受信用モードの設定がサービス開始と同時に、自動的に行われるので、利用者は、コーラーＩＤのサービスの開始時に、非常に面倒であった設定変更の手動操作が不要となる。また、すでにコーラーＩＤのサービスが開始されている場合、リンガ種類を判断しないので、装置を正しく設定して通常のリンガを着信するまでの時間を短縮できる。
【００１８】
また、請求項２記載の発明は、請求項１記載の発明において、前記設定手段が、電源投入時にコーラーＩＤ受信用モード以外に設定し、前記制御手段は、電源投入後に初めてリンガを着信した場合、前記判断手段に着信したリンガがコーラーＩＤ用であるか否かを判断させる構成を採る。
【００１９】
この構成により、利用者は、移転等で装置の電源を切断した後に接続した場合、モードの設定変更のために手動操作を行う必要が無い。
【００２０】
また、請求項３記載の発明は、請求項１又は請求項２記載の発明において、前記制御手段は、リンガを着信してから前記判断手段が判断を終了するまでの間、リンガを鳴動させない構成を採る。
【００２１】
この構成により、リンガがコーラーＩＤ用であった場合に、利用者が誤って受話器を取ることにより不快なデータ音を聞いてしまうことが無い。
【００２２】
また、請求項４記載の発明は、請求項３記載の発明において、前記制御手段は、リンガを着信してから前記判断手段が判断を終了するまでの間、さらに、着信したリンガがコーラーＩＤ用である場合、前記受信手段がコーラーＩＤの受信を完了するまでの間、データ受信中である旨を表示させる構成を採る。
【００２３】
この構成により、利用者は、リンガが鳴動しなくても、通信装置がデータ受信中であることを認識できるので、誤って受話器を取ってしまうことを防止することができる。
また、請求項５記載の発明は、通常の着信動作を行う通常モードとコーラーＩＤを受信して着信動作を行うコーラーＩＤ受信用モードの２つの制御モードを有し、通常モードかコーラーＩＤ受信用モードかを設定する制御モード設定手段と、リンガの種類を判断する判断手段と、通常モードに設定されている時に前記判断手段にリンガがコーラーＩＤ用か否かを判断させてコーラーＩＤ用であればコーラーＩＤを受信するとともに制御モードの設定をコーラーＩＤ受信用モードに変更する制御手段と、を備える構成を採る。
この構成により、通常モードの設定においてもコーラーＩＤを受信することができ、設定もコーラーＩＤ受信モードに変更され、次回の着信からコーラーＩＤ受信用モードで動作することができる。
また、請求項６記載の発明は、請求項１乃至請求項５のいずれかに記載の発明において、表示部を備え、コーラーＩＤ受信用モードに設定すると、設定した旨を前記表示部で表示させる構成を採る。
また、請求項７記載の発明は、請求項１乃至請求項５のいずれかに記載の発明において、ＬＥＤを有する表示部を備え、コーラーＩＤ受信用モードに設定すると、前記ＬＥＤの色を変える構成を採る。
また、請求項８記載の発明は、請求項１乃至請求項５のいずれかに記載の発明において、コーラーＩＤ受信用モードに設定すると、呼出ベルの音色を変更する構成を採る。
これら請求項６から請求項８のいずれかの構成により、利用者は、コーラーＩＤ受信が可能であることを認識してサービスを利用することができる。
また、請求項９記載の発明は、コーラーＩＤを受信して着信動作するコーラーＩＤ受信用モードに設定されていない場合は、着信したリンガがコーラーＩＤ用であるか否かを判断してコーラーＩＤ用であればコーラーＩＤ受信用モードに設定変更してコーラーＩＤを受信して表示し、コーラーＩＤ受信用モードに設定されている場合は、リンガの判断をせずにコーラーＩＤを受信して表示するようにした。
これにより、コーラーＩＤ受信用モードの設定をしなくてもコーラーＩＤを受信することができ、サービス開始と同時にサービスを受けることができる。
【００２４】
【発明の実施の形態】
以下、本発明の実施の形態について図面を用いて詳細に説明する。
図１は、本発明の一実施の形態における通信装置の概略構成を示すブロック図である。
【００２５】
図１に示すように、通信装置１は、外部回線２の開閉を行う回線開閉部３と、リンガ着信を検出するリンガ着信検出部４と、リンガの種類を判断するリンガ種類判断部５と、データの送受信の際に必要な変復調を行うモデム６と、利用者が回線による通話をするための受話器部７と、内部回線８の接続先を切替える回線切替部９と、各種メッセージを表示する表示部１０と、着信をベル音によって利用者に知らせる鳴動部１１と、データ処理の作業領域として使用されるＲＡＭ１２と、ＲＡＭに保存されたデータの設定を変更する設定変更部１３と、各部の動作を制御する主制御部１４とから主に構成される。
【００２６】
回線開閉部３は、主制御部１４からの指示により、外部回線２の接続先をリンガ着信検出部４又は内部回線８のどちらかに切替える。
【００２７】
リンガ着信検出部４は、着信されたリンガをリンガ種類判断部５に送信する。また、リンガ着信及びリンガ停止を主制御部１４に送信する。
【００２８】
リンガ種類判断部５は、リンガ着信検出部４から送信されたリンガがコーラーＩＤ用のリンガか通常のリンガかを判断し、判断結果を主制御部１４に送信する。
【００２９】
モデム６は、コーラーＩＤを受信し、これを変換して主制御部１４に送信する。また、データ通信、ファクシミリ通信の際に信号の変復調を行う。
【００３０】
受話器部７は、集音した利用者の音声を音声信号に変換して送信し、受信した音声信号を音声に変換する。また、ＯＮフック、ＯＦＦフック信号を主制御部１４に送信する。
【００３１】
回線切替部９は、主制御部１４からの指示により、内部回線８の接続先を受話器部７又はモデム６のどちらかに切替える。
【００３２】
表示部１０は、ＬＥＤ等で構成され、主制御部１４からの指示により、コーラーＩＤ等の各種メッセージを表示する。
【００３３】
鳴動部１１は、主制御部１４からの指示により、リンガと連動して呼出ベルを鳴動させる。
【００３４】
ＲＡＭ１２には、主制御部が実行する制御モードが保存され、設定変更部１３は、主制御部１４からの指示により、ＲＡＭ１２に保存されている制御モードを変更する。
【００３５】
次に、リンガ種類判断部５における、リンガ種類の判断処理について、図２及び図３を用いて説明する。
【００３６】
図２は、上記実施の形態における通信装置のリンガテーブルの模式図であり、リンガの種類とＯＦＦ信号連続時間、及び、ＯＮ信号連続時間との関係が示される。
【００３７】
図２に示すように、コーラーＩＤのリンガは、0.5秒ＯＮ、0.5秒ＯＦＦの連続信号であり、通常のリンガは、１秒ＯＮ、２秒ＯＦＦの連続信号である。
【００３８】
リンガ種類判断部５は、受信したリンガのＯＮ、ＯＦＦの時間を計測し、この計測結果に基づいてリンガの種類を判断する。この判断動作の流れを図３のフロー図を用いて説明する。
【００３９】
まず、Ｓ３０１からＳ３０３では、リンガ種類判断部５は、リンガ検出部４からリンガのＯＮ信号を受信すると、リンガがＯＦＦになるまで待機し、ＯＦＦになると同時にタイマーをスタートさせる。
【００４０】
Ｓ３０４からＳ３０６では、リンガ種類判断部５は、リンガがＯＮになるまで待機し、ＯＮになると同時にタイマーをストップさせ、リンガのＯＦＦの時間を計測する。
【００４１】
Ｓ３０７からＳ３０９では、リンガ種類判断部５は、計測結果とリンガテーブルのＯＦＦ信号連続時間とを照合し、リンガの種類を判断し、判断結果を主制御部１４に送信する。同時に、タイマーをリセットさせる。
【００４２】
以上の処理により、最初のリンガ１回分の時間で、リンガの種類を判断することができる。
【００４３】
なお、本例では、リンガのＯＦＦの時間のみを計測したが、リンガのＯＮの時間のみを計測したり、リンガのＯＮの時間とＯＦＦの時間の両方を計測してもよい。
【００４４】
リンガのＯＮの時間とＯＦＦの時間の両方を計測すれば、リンガ種類の判断において、より確実性が増す。
【００４５】
次に、ＲＡＭ１２に保存される制御モードについて、図４を用いて説明する。図４は、上記実施の形態における通信装置のＲＡＭ１２に保存されるモードテーブルの模式図である。
【００４６】
図４に示すように、主制御部１４が行う制御モードには、通常モード「１」とコーラーＩＤ受信用モード「２」の２種類が有り、ＲＡＭ１２には、各制御モード４０１と現在いずれの制御モードが設定されているかを表す設定モード４０２が保存される。
【００４７】
設定変更部１３は、主制御部１４から送信されるリンガ種類と設定モードとが異なる場合、ＲＡＭ１２の設定モード４０２を変更する。
【００４８】
また、設定変更部１３は、初期状態、あるいは、通信装置の電源がＯＦＦになった場合、設定モードを自動的に通常通信用プログラム「１」に設定する。
【００４９】
これにより、通信装置の設置場所を移動した場合に、利用者は、設定モードを変更する必要が無くなる。
【００５０】
主制御部１４は、リンガ着信検出部４から検出信号を受信した際に、通常モード「１」が設定されていれば、リンガ種類判断部５に着信したリンガの種類を判断させ、その判断結果に基き制御を行う。
【００５１】
逆に、コーラーＩＤ受信用モード「２」が設定されていれば、リンガ種類判断部５にリンガ種類を判断させず、コーラーＩＤ受信用モードの制御を行う。
【００５２】
リンガ種類の判断を省略することにより、装置を正しく設定して、通常のリンガを着信するまでの時間を短縮することができる。
【００５３】
次に、上記実施の形態における通信装置の信号の流れについて、図５及び図６に示すフロー図を用いて説明する。
【００５４】
なお、初期状態において、回線開閉部３は、外部回線２をリンガ着信検出部４に接続し、回線切替部９は、内部回線８を受話器部７に接続する。
【００５５】
まず、Ｓ５０１で、リンガ着信検出部４にて、外部回線２から回線開閉部３を通じて入力されたリンガを検出すると、リンガ着信検出部２は、検出信号を主制御部１４に送信する。
【００５６】
Ｓ５０２で、主制御部１４は、リンガ着信検出部から検出信号を受信すると、表示部１０に受信中を表示する指示信号を送信し、表示部は受信中のメッセージを表示する。
【００５７】
この受信中のメッセージとして、例えば、「ただいまデータ受信中です。」等が考えられる。また、受信中の表示方法として、ＬＥＤの色を変えたり、点滅させたりしてもよい。
【００５８】
また、Ｓ５０３で、主制御部１４は、ＲＡＭ１２に保存される設定モードを確認する。もし、ＲＡＭ１２の設定がコーラーＩＤ受信用モード「２」であれば、Ｓ５０８以下の処理を行う。また、ＲＡＭ１２の設定が通常モード「１」であれば、以下の処理を行う。
【００５９】
Ｓ５０４で、主制御部１４は、リンガ種類判断部５にリンガ種類を判断する指示信号を送信し、リンガ種類判断部５はリンガ着信検出部４からリンガを受信して、図３に示した処理によりリンガ種類を判断し、判断したリンガ種類信号を主制御部１４に送信する。
【００６０】
Ｓ５０５で、主制御部１４は、リンガ種類が通常のリンガである場合、接続を切替えず、Ｓ５１４以下の処理を行う。また、リンガ種類がコーラーＩＤ用である場合、以下の処理を行う。
【００６１】
Ｓ５０６で、主制御部１４は、設定変更部１３にリンガ種類信号を送信し、設定変更部１３はＲＡＭ１２の設定モードをコーラーＩＤ受信用モード「２」に変更し、変更完了信号を主制御部１４に送信する。
【００６２】
このように、コーラーＩＤ受信用モードの設定変更が、コーラーＩＤのサービス開始と同時に自動的に行われるので、利用者は、いままで面倒であった設定変更の操作をまったく必要としない。
【００６３】
次に、Ｓ５０７で、主制御部１４は、変更完了信号を受信すると、表示部１０に変更完了を表示する指示信号を送信し、表示部は設定変更のメッセージを表示する。
【００６４】
この設定変更のメッセージとして、例えば、「コーラーＩＤの受信サービスを開始しました。」、あるいは、「コーラーＩＤを受信できるように設定しました。」等が考えられる。また、設定変更の表示方法として、ＬＥＤの色を変えてもよい。
【００６５】
また、設定変更を利用者に認識させる方法として、鳴動部１１の呼出ベルの音色を変更することも考えられる。この場合、利用者は装置から離れていても、設定が変更されたことを認識できる。
【００６６】
Ｓ５０８で、主制御部１４は、モデム６をコーラーＩＤデータ通信のモードであるＶ２３モードに設定する。
【００６７】
次に、Ｓ５０９とＳ５１０で、主制御部１４は、回線開閉部３を切替えて外部回線２と内部回線８とを接続させ、回線切替部９を切替えて内部回線８とモデム６とを接続させ、モデム６にてコーラーＩＤの受信を開始する。
【００６８】
Ｓ５１１で、モデム６は、コーラーＩＤの受信を終了するとコーラーＩＤを変換して、主制御部１４に送信する。
【００６９】
次に、Ｓ５１２で、主制御部１４は、変換されたコーラーＩＤを受信すると、回線開閉部を切替えて外部回線２とリンガ着信検出部４とを接続させ、回線を一旦切断し、通常のリンガを受信する。
【００７０】
同時に、Ｓ５１３で、主制御部１４は、表示部１０にコーラーＩＤを送信し、表示部１０はコーラーＩＤを表示する。
【００７１】
また、Ｓ５１４で、主制御部１４は、表示部１０に受信中表示を消灯する指示信号を送信し、表示部１０は受信中表示を消灯する。
【００７２】
同時に、Ｓ５１５で、主制御部１４は、鳴動部１１に呼出ベルを鳴動する指示信号を送信し、鳴動部１１は呼出ベルを鳴動する。
【００７３】
リンガ着信を検出してからリンガ種類を判断するまで、呼出ベルを鳴動させないことにより、利用者が誤って受話器を取ってデータ信号音を聞いてしまうことを防止できる。
【００７４】
また、リンガ着信を検出してからコーラーＩＤ受信を完了するまで、受信中のメッセージを表示することにより、呼出ベルを鳴動させなくても、利用者に注意を促し、データ受信中に利用者が誤って受話器を取ってデータ受信を中断させてしまうことを防止することができる。
【００７５】
Ｓ６０１の通常のリンガを受信している間、利用者が受話器部７の受話器を取ると、受話器部７はＯＦＦフック信号を主制御部１４に送信する。
【００７６】
Ｓ６０２からＳ６０３で、主制御部１４は、ＯＦＦフック信号を受信すると、回線開閉部３を切替えて外部回線２と内部回線８とを接続させ、回線切替部４を切替えて内部回線８を受話器部７に接続させる。この状態で、利用者は、回線を通じて通話することができる。
【００７７】
同時に、Ｓ６０４とＳ６０５で、主制御部１４は、鳴動部１１に呼出ベルを停止する指示信号を送信し、鳴動部１１は呼出ベルを停止する。また、主制御部１４は、表示部１０にコーラーＩＤを消灯する指示信号を送信し、表示部１０はコーラーＩＤを消灯する。
【００７８】
Ｓ６０６で、利用者が受話器部７の受話器を置くと、受話器部７はＯＮフック信号を主制御部１４に送信する。
【００７９】
Ｓ６０７で、主制御部１４は、ＯＮフック信号を受信すると、回線開閉部３を切替えて外部回線２とリンガ着信検出部４とを接続させ、回線を切断する。
【００８０】
また、Ｓ６０８で、Ｓ６０１にて、利用者が受話器を取る前に通常のリンガが停止した場合、主制御部１４は、リンガ着信検出部４から着信停止信号を受信し、鳴動部１１に呼出ベルを停止する指示信号を送信し、鳴動部１１は呼出ベルを停止する。
【００８１】
また、Ｓ６０９で、主制御部１４は、表示部１０にコーラーＩＤを消灯する指示信号を送信し、表示部１０はコーラーＩＤを消灯する。
【００８２】
以上の処理により、利用者は、コーラーＩＤサービスを受ける際に、設定変更のための処理を行うこと無く、正常な通信を行うことができる。
【００８３】
【発明の効果】
以上説明したように本発明によれば、コーラーＩＤ受信用の設定をサービス開始と同時に、自動的に行うことができる通信装置を提供できる。
【００８４】
これにより、利用者は、コーラーＩＤのサービスの開始時に、非常に面倒であった設定変更の手動操作が不要となる。
【図面の簡単な説明】
【図１】本発明の一実施の形態における通信装置の概略構成を示すブロック図
【図２】上記実施の形態における通信装置のリンガテーブルの模式図
【図３】上記実施の形態における通信装置のリンガ種類判断処理の流れを示すフロー図
【図４】上記実施の形態における通信装置の制御モードテーブルの模式図
【図５】上記実施の形態における通信装置の制御の流れを示す第１フロー図
【図６】上記実施の形態における通信装置の制御の流れを示す第２フロー図
【図７】従来の通信装置の制御の流れを示すフロー図
【符号の説明】
１  通信装置
２  外部回線
３  回線開閉部
４  リンガ着信検出部
５  リンガ種類判断部
６  モデム
７  受話器部
８  内部回線
９  回線切替部
１０  表示部
１１  鳴動部
１２  ＲＡＭ
１３  設定変更部
１４  主制御部
【図１】
0003706723.tif 000002
【図２】
0003706723.tif 000003
【図３】
0003706723.tif 000004
【図４】
0003706723.tif 000005
【図５】
0003706723.tif 000006
【図６】
0003706723.tif 000007
【図７】
0003706723.tif 000008